(57)【要約】【課題】共通する仕様を含む部品を発注するメーカ並びに設計製造する設計会社のいずれにも好適な受発注支援方法、受発注システムを提供する。【解決手段】複数の発注元から共通する仕様を含む部品の受発注をする受発注システムでの受発注支援方法であって、前記部品の基本仕様が入力される基本仕様入力段階と、前記発注元が必要とする仕様を、前記基本仕様から選択または追加される仕様選択段階とを有する。【選択図】  図１
2005004237.tif 000002
【特許請求の範囲】
【請求項１】
複数の発注元から共通する仕様を含む部品の受発注をする受発注システムでの受発注支援方法であって、
前記部品の基本仕様が入力される基本仕様入力段階と、
前記発注元が必要とする仕様を、前記基本仕様から選択または追加される仕様選択段階と、
前記発注元が発注した仕様を、発注元ごとに生成する仕様生成段階と
を有することを特徴とする受発注支援方法。
【請求項２】
前記仕様生成段階で生成された仕様を、仕様書として印刷する仕様書印刷段階をさらに有することを特徴とする請求項１に記載の受発注支援方法。
【請求項３】
前記仕様生成段階で生成された仕様を、前記発注元が閲覧するために提供する仕様提供段階を有することを特徴とする請求項１または２に記載の受発注支援方法。
【請求項４】
前記仕様提供段階では、前記仕様の提供を要求した発注元の認証をした後に、前記仕様を提供することを特徴とする請求項３に記載の受発注支援方法。
【請求項５】
複数の発注元から共通する仕様を含む部品が受注される受注サーバと、前記部品の基本仕様を前記受注サーバに入力する基本仕様入力端末と、前記受注サーバに前記部品の発注をする発注端末とを有する受発注システムにおいて、
前記基本仕様入力端末が、前記受注サーバに基本仕様を入力する基本仕様入力手段と、
前記発注端末が、前記発注元が発注する仕様を前記基本仕様から選択または追加させる仕様選択手段と、
前記受注サーバが、前記発注元が発注した仕様を、発注元ごとに生成する仕様生成手段と
を有することを特徴とする受発注システム。
【発明の詳細な説明】
【０００１】
【発明の属する技術分野】
本発明は、発注された部品の仕様の管理を行う受発注支援方法、受発注システムに関する。
【０００２】
【従来の技術】
従来より、ある製品の市場が大きくなると、各メーカは、その市場に参入し、各メーカが競って製品を開発し販売するようになる。
【０００３】
このように、各メーカが製品を開発する場合、その製品に必要な部品を設計や製造する設計会社では、複数のメーカから共通する仕様が多い部品の製造を依頼されることがある。この場合、各メーカごとの部品の仕様書を作成することになる。このような異なる文書の持つ文書領域の合成や引用により構成される文書を処理して文書を自動生成する文書処理装置が特許文献１に開示されている。
【０００４】
【特許文献１】
特開平５−４０７５７号公報
【０００５】
【発明が解決しようとする課題】
この場合、部品を発注する各メーカは、他のメーカと共通する仕様が多いにもかかわらず個々に部品を発注せざるを得ないため、発注する仕様を定めるなどの作業が必要となり、効率が良くない。また、設計会社は、各メーカに出荷されるそれぞれの部品に適合した仕様書を用意しなければならない。このことは、仮に各メーカからまとめて発注された場合も同じである。
【０００６】
本発明は、このような問題点に鑑み、共通する仕様を含む部品を発注するメーカ並びに設計製造する設計会社のいずれにも好適な受発注支援方法、受発注システムを提供することを目的とする。
【０００７】
【課題を解決するための手段】
本発明は、複数の発注元から共通する仕様を含む部品の受発注をする受発注システムでの受発注支援方法であって、前記部品の基本仕様が入力される基本仕様入力段階と、前記発注元が必要とする仕様を、前記基本仕様から選択または追加される仕様選択段階と、前記発注元が発注した仕様を、発注元ごとに生成する仕様生成段階とを有することを特徴とする。
【０００８】
本発明によれば、共通する仕様を含む部品を発注するメーカ並びに設計製造する設計会社のいずれにも好適な受発注支援方法を提供することができる。
【０００９】
本発明は、複数の発注元から共通する仕様を含む部品が受注される受注サーバと、前記部品の基本仕様を前記受注サーバに入力する基本仕様入力端末と、前記受注サーバに前記部品の発注をする発注端末とを有する受発注システムにおいて、前記基本仕様入力端末が、前記受注サーバに基本仕様を入力する基本仕様入力手段と、前記発注端末が、前記発注元が発注する仕様を前記基本仕様から選択または追加させる仕様選択手段と、前記受注サーバが、前記発注元が発注した仕様を、発注元ごとに生成する仕様生成手段とを有することを特徴とする。
【００１０】
本発明によれば、共通する仕様を含む部品を発注するメーカ並びに設計製造する設計会社のいずれにも好適な受発注支援方法、受発注システムを提供することができる。
【００１１】
【発明の実施の形態】
以下、図面を参照し、本発明の実施形態について説明する。なお、本実施の形態においては、「部品」をＬＳＩ（Ｌａｒｇｅ  Ｓｃａｌｅ  Ｉｎｔｅｇｒａｔｅｄ  ｃｉｒｃｕｉｔ）として説明する。
【００１２】
最初に、本発明の実施の形態の概要について説明する。図１には、ＬＳＩの発注元であるメーカ群１０２と、メーカにＬＳＩの仕様を提案・募集するＬＳＩ設計会社１００と、ＬＳＩ設計会社１００からＬＳＩの製造を委託されるＬＳＩ製造会社群１０１とが示されている。
【００１３】
メーカ群１０２に属するメーカは、例えば、カーナビゲーションやＤＶＤプレーヤなどを製造するメーカであるとしたとき、いずれのメーカも画像処理を行うＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）が必要となる。この場合、メーカが所望とする各ＡＳＩＣは、共通する仕様を持つことが多い。
【００１４】
そこで、ＬＳＩ設計会社１００は、メーカが所望すると思われる複数の基本的な仕様である基本仕様を各メーカに対して提案する。各メーカでは、提案された仕様から必要な仕様を選択するとともに、各メーカが独自に追加した仕様をＬＳＩ設計会社１００に発注する。
【００１５】
ＬＳＩ設計会社１００は、各メーカが発注した仕様をすべて包含する統合仕様を作成し、ＬＳＩ製造会社に製造委託する。この統合仕様では、各メーカを識別するＩＤを指定する事により、そのメーカが発注した仕様通りのＬＳＩを実現する仕様になっている。また、このＩＤの指定は、ＬＳＩ設計会社１００または、ＬＳＩ製造会社のみが設定できる。
【００１６】
これにより、ＬＳＩ製造会社は、大量生産が可能となり、製造コストを抑えることができる。そして、抑えられた製造コストは、ＬＳＩの単価にも影響するため、メーカもＬＳＩのコストを抑えることが可能となる。
【００１７】
次に、図２を用いてＬＳＩの仕様を作成する処理の概要について説明する。図２には、仕様書作成の流れと、２種類のデータベース（以下、ＤＢと記す）とが示されている。これらＤＢの詳細については後述し、ここでは仕様書作成の流れについて説明する。
【００１８】
ステップＳ１０１では、設計会社が仕様管理ＤＢ５０を作成するための基本仕様の作成が行なわれる。基本仕様が作成されると、ステップＳ１０２で、基本仕様が提案された各メーカは、基本仕様の選択や仕様の追加を行う。これにより、ステップＳ１０３で、各メーカの仕様が決定される。それらの仕様に基づき、ステップＳ１０４で、設計会社は各メーカが追加した全ての仕様と基本仕様が保存される統合仕様ＤＢの作成を行う。これにより、仕様管理ＤＢ５０が更新され、統合仕様ＤＢ５１が作成される。
【００１９】
以上の処理により、各メーカの仕様が決定し、ＬＳＩ設計会社が各メーカに対応した個別の仕様を作成するための準備が整う。仕様を作成する準備が整うと、図３に示されるように、仕様書を生成する仕様書生成部７０は、統合仕様ＤＢ５１と仕様管理ＤＢ５０からメーカＩＤ６０に対応するメーカの仕様である個別仕様５２を生成する。
【００２０】
以上のようにして、各メーカに対応する個別仕様が作成され、それらの個別仕様はメーカに伝えられることになる。
【００２１】
次に、上述した処理の詳細について説明する。まず、図４を用いて部品受発注システムの全体構成を説明する。図４には、受注サーバ１０と、発注端末１１と、基本仕様入力端末１２と、製造会社端末１３と、それらを接続するネットワーク１４とが示されている。
【００２２】
受注サーバ１０は、上記ＤＢが搭載され、メーカからの発注処理や、ＬＳＩ設計会社からの基本仕様の入力処理や、個別仕様の作成などを行うサーバであり、例えばＬＳＩ設計会社に設置される。発注端末１１は、メーカが仕様を選択・追加し、発注するために用いられる端末である。基本仕様入力端末１２は、ＬＳＩ設計会社が基本仕様を入力したり、ＤＢの管理を行なったりする端末である。製造会社端末１３は、ＬＳＩ製造会社が仕様を知るためなどに用いられる端末である。ネットワーク１４は、ＬＡＮやインターネットなどである。
【００２３】
次に、受注サーバ１０と、発注端末１１と、基本仕様入力端末１２と、製造会社端末１３のハードウェア構成を、図５を用いて説明する。
【００２４】
図５に示されるハードウェア構成は、それぞれバスＢで相互に接続されている入力装置２２と，表示装置２３と，ドライブ装置２４と，記録媒体２５と，補助記憶装置２６と，メモリ装置２７と，演算処理装置２０と，インタフェース装置２１とを含むように構成される。
【００２５】
入力装置２２は、利用者が操作するキーボード及びマウスなどで構成され、コンピュータシステムに各種操作信号を入力するために用いられる。表示装置２３は、コンピュータシステムを操作するのに必要な各種ウィンドウやデータ等を表示する。インタフェース装置２１は、コンピュータシステムをネットワークに接続する為のインタフェースであり、例えばＮＩＣ（Ｎｅｔｗｏｒｋ  Ｉｎｔｅｒｆａｃｅ  Ｃａｒｄ）やモデム等で構成される。
【００２６】
そして、上記コンピュータシステムを動作させるためのプログラムは、ＣＤ−ＲＯＭ等の記録媒体２５によって提供されるか、ネットワークを通じてダウンロードされる。また、記録媒体２５は、ドライブ装置２４にセットされ、データやプログラムが記録媒体２５からドライブ装置２４を介して補助記憶装置２６にインストールされる。
【００２７】
補助記憶装置２６は、データやプログラムを格納すると共に、必要なファイル等を格納する。メモリ装置２７は、コンピュータシステムの起動時に補助記憶装置２６からプログラムを読み出して格納する。演算処理装置２０は、メモリ装置２７に読み出され格納されたプログラムに従って処理を実行する。
【００２８】
次に、受注サーバ１０と、発注端末１１と、基本仕様入力端末１２のソフトウェアブロックについて説明する。まず、図６を用いて受注サーバ１０のソフトウェアブロックについて説明する。受注サーバ１０は、仕様書生成部７０と、ＤＢ操作部７１と、基本仕様選択・仕様追加部７２と、基本仕様入力部７３と、選択仕様提供部７４と、認証部７５と、通信部７６とを有する。
【００２９】
仕様生成手段に対応する仕様書生成部７０は、上述したように統合仕様ＤＢ５１と仕様管理ＤＢ５０からメーカＩＤ６０に対応するメーカの仕様である個別仕様５２を生成する。ＤＢ操作部７１は、各部がＤＢにアクセスする際に共通で使用される。基本仕様選択・仕様追加部７２は、発注端末１１が基本仕様を選択したり仕様を追加したりする場合の処理を行う。基本仕様入力手段に対応する基本仕様入力部７３は、基本仕様入力端末１２から入力される基本仕様に係る処理を行う。選択仕様提供部７４は、発注端末１１が基本仕様を選択する場合に、基本仕様を提供する。認証部７５は、発注サーバ１０の不正利用を防止するため、発注端末１１の認証を行う。通信部７６は、ネットワークに接続するためのインタフェース装置（図５参照）のドライバである。
【００３０】
次に、図７を用いて発注端末１１のソフトウェアブロックについて説明する。発注端末１１は、仕様追加部７７と、基本仕様選択部７８と、選択仕様表示部７９と、認証部８０と、通信部８１と、個別仕様閲覧部８２とを有する。
【００３１】
選択仕様表示部７９は、受注サーバ１０から提供された基本仕様を表示する。仕様追加部７７は、仕様の追加に係る処理を行う。基本仕様選択部７８は、基本仕様の選択に係る処理を行う。認証部８０は、受注サーバ１０から認証を要求された際に認証処理を行う。通信部８１は、インタフェース装置のドライバである。個別仕様閲覧部８２は、メーカが自ら発注した仕様を閲覧するための処理を行う。なお、仕様追加部７７と、基本仕様選択部７８は、仕様選択手段に対応する。
【００３２】
次に、図８を用いて基本仕様入力端末１２のソフトウェアブロックについて説明する。基本仕様入力端末１２は、基本仕様入力部８３と、仕様閲覧部８４と、通信部８５とを有する。
【００３３】
基本仕様入力部８３は、受注端末１０に基本仕様を入力する場合の処理をする。仕様閲覧部８４は、ＬＳＩ設計会社が各メーカの個別仕様や基本仕様を閲覧するための処理を行う。通信部８５は、インタフェース装置のドライバである。
【００３４】
次に、各ＤＢについて説明する。図９は、仕様管理ＤＢの初期状態を表すものである。図９に示されるように、仕様管理ＤＢは、「仕様」と「基本仕様」の項目を有するＤＢであり、「仕様」には、仕様の項番である「仕様１−１」などが記録され、「基本仕様」には、対応する項番の仕様が基本仕様であるかどうかを示す「レ」が記録される。「基本仕様」が「レ」となっている場合は、「仕様」が基本仕様であることを示し、「レ」がない場合は、対応する「仕様」が基本仕様ではないことを示す。
【００３５】
この仕様管理ＤＢの情報が発注端末へ基本仕様として提供される。この基本仕様が、発注端末から選択・追加されると、仕様管理ＤＢは、図１０に示されるようになる。
【００３６】
図１０に示される仕様管理ＤＢは、「仕様」と「基本仕様」の項目に、メーカが選択・追加した仕様かどうかを示す「メーカ」が加わる。
【００３７】
この項目「メーカ」には、図の場合Ａ社からＦ社が選択・追加した仕様に「レ」が記録される。例えばＦ社では、仕様１−３−２を除いた仕様を選択・追加したことが分かる。また、「メーカ」には、各メーカにＩＤが割り当てられていることも示されている。
【００３８】
次に、図１１を用いて、統合仕様ＤＢについて説明する。統合仕様ＤＢは、図１１に示されるように、仕様とその仕様に対する内容が記録されたものである。例えば仕様１−３は、「特殊効果：テクスチャマッピングとタイリング」という内容になっている。図１１には示されていないが、ＬＳＩの他の仕様であるホストインタフェース端子の仕様などももちろん含まれる。
【００３９】
以上の構成となっている部品受発注システムの処理の流れを、図１２を用いて説明する。図１２に示されるシーケンス図は、基本仕様入力端末１２と、発注端末１１と、受注サーバ１０と、製造会社端末１３との間で行われる仕様の決定から製造会社までの発注を示すものである。
【００４０】
基本仕様入力段階に対応するステップＳ２０１で基本仕様入力端末１２は、受注サーバ１０に基本仕様を入力する。受注サーバ１０は、入力された基本仕様を記録する。記録が終了すると、受注サーバ１０は、ステップＳ２０２で基本仕様入力端末１２に基本仕様の記録が完了したことを通知する。
【００４１】
この状態で、メーカは、発注をすることが可能となる。そこで、例えば○○メーカは、発注端末１１からステップＳ２０３で基本仕様要求を受注サーバ１０に通知する。受注サーバ１０は、ステップＳ２０４で、発注端末１１に基本仕様を通知する。
【００４２】
通知された基本仕様を用いて、○○メーカはステップＳ２０５で基本仕様の選択や仕様の追加を行う。このステップＳ２０５は、仕様選択段階に対応する。○○メーカが基本仕様の選択や仕様の追加を終了すると、受注サーバ１０は、個別仕様を生成し、ステップＳ２０６で、個別仕様を生成したことを発注端末１１に通知する。
【００４３】
そして、ステップＳ２０７で、受注サーバ１０は、○○メーカの仕様が決定されたことを基本仕様入力端末１２に通知する。
【００４４】
基本仕様入力端末１２は、全てのメーカの仕様が決定すると、ステップＳ２０８で、受注サーバ１０に仕様転送通知を行う。受注サーバ１０は、各メーカの仕様をステップＳ２０９で製造会社端末１３に通知する。
【００４５】
以上の処理により、各メーカの仕様が決定され、ＬＳＩ製造会社に発注が行なわれる。
【００４６】
次に、図１３を用いて、発注したメーカが自らの発注内容を閲覧する処理について説明する。図１３は、発注端末１１と受注サーバ１０との間で行われる処理を示す図である。
【００４７】
ステップＳ３０１で発注端末１１は、受注サーバ１０へ個別仕様要求を通知する。受注サーバ１０は、ステップＳ３０２でパスワード入力要求を発注端末に通知する。発注端末１１は、ユーザにより入力されたパスワードを、ステップＳ３０３で受注サーバ１０へ通知する。パスワードを通知された受注サーバ１０は、認証が確認されると、ステップＳ３０４で、発注端末１１に個別仕様を通知する。このようにすることで、他メーカに仕様を知られることを防ぐことができる。仕様を提供された後、発注端末１１は、通知された個別仕様を印刷することも可能である。また、基本仕様入力端末１２や製造会社端末１３も個別仕様を印刷することが可能である。
【００４８】
次に、図１４を用いて、個別仕様を生成する受注サーバ１０の仕様書生成部７０の処理について説明する。ステップＳ４０１で、仕様書生成部７０は、メーカのＩＤを取得する。次に、仕様書生成部７０は、仕様管理ＤＢ（図１０参照）で、「メーカ」と「仕様」から、対応する「仕様」に「レ」があるかどうか、ステップＳ４０２で判断する。もし「レ」のある「仕様」であれば、その仕様をステップＳ４０３で、統合仕様ＤＢから仕様の内容を取り出し、個別仕様に追加する。「レ」のない仕様であれば、ステップＳ４０３はスキップされる。
【００４９】
次に、仕様書生成部７０は、ステップＳ４０４で、全ての仕様をチェックしたかどうか判断する。全ての仕様がチェックされていなければ、仕様書生成部７０は、再びステップＳ４０２の処理を行う。
【００５０】
全ての仕様がチェックされると、仕様書生成部７０は、ステップＳ４０５で、項番を揃え、個別仕様が生成される。
【００５１】
最後に、本発明の要旨のいくつかを以下に列挙する。
【００５２】
（付記１）  複数の発注元から共通する仕様を含む部品の受発注をする受発注システムでの受発注支援方法であって、
前記部品の基本仕様が入力される基本仕様入力段階と、
前記発注元が必要とする仕様を、前記基本仕様から選択または追加される仕様選択段階と、
前記発注元が発注した仕様を、発注元ごとに生成する仕様生成段階と
を有することを特徴とする受発注支援方法。
【００５３】
（付記２）  前記仕様生成段階で生成された仕様を、仕様書として印刷する仕様書印刷段階をさらに有することを特徴とする付記１に記載の受発注支援方法。
【００５４】
（付記３）  前記仕様生成段階で生成された仕様を、前記発注元が閲覧するために提供する仕様提供段階を有することを特徴とする付記１または２に記載の受発注支援方法。
【００５５】
（付記４）  前記仕様提供段階では、前記仕様の提供を要求した発注元の認証をした後に、前記仕様を提供することを特徴とする付記３に記載の受発注支援方法。
【００５６】
（付記５）  複数の発注元から共通する仕様を含む部品が受注される受注サーバと、前記部品の基本仕様を前記受発注サーバに入力する基本仕様入力端末と、前記受注サーバに前記部品の発注をする発注端末とを有する受発注システムにおいて、
前記基本仕様入力端末が、前記受注サーバに基本仕様を入力する基本仕様入力手段と、
前記発注端末が、前記発注元が発注する仕様を前記基本仕様から選択または追加させる仕様選択手段と、
前記受注サーバが、前記発注元が発注した仕様を、発注元ごとに生成する仕様生成手段と
を有することを特徴とする受発注システム。
【００５７】
（付記６）  前記発注端末は、前記仕様生成手段で生成された仕様を、仕様書として印刷する仕様書印刷手段をさらに有することを特徴とする付記５に記載の受発注システム。
【００５８】
（付記７）  前記基本仕様入力端末は、前記仕様生成手段で生成された仕様を、仕様書として印刷する仕様書印刷手段をさらに有することを特徴とする付記５または６に記載の受発注システム。
【００５９】
（付記８）  前記発注端末は、前記仕様生成手段で生成された仕様を、前記受注サーバから提供されることにより閲覧可能であることを特徴とする付記５から７のいずれか１項に記載の受発注システム。
【００６０】
（付記９）  前記受注サーバは、前記仕様の提供を要求した発注元の認証をした後に、前記仕様を提供することを特徴とする付記８に記載の受発注支援方法。
【００６１】
【発明の効果】
以上のように、本発明によれば、共通する仕様を含む部品を発注するメーカ並びに設計製造する設計会社のいずれにも好適な受発注支援方法、受発注システムを提供することができる。
【図面の簡単な説明】
【図１】本発明の実施の形態の概要を示す図である。
【図２】仕様書作成の流れを示す図である。
【図３】個別仕様を生成する様子を示す図である。
【図４】部品受発注システムの全体構成を示す図である。
【図５】コンピュータシステムを示す図である。
【図６】受注サーバのソフトウェアブロック図である。
【図７】発注端末のソフトウェアブロック図である。
【図８】基本仕様入力端末のソフトウェアブロック図である。
【図９】仕様管理ＤＢを示す図である。
【図１０】仕様管理ＤＢを示す図である。
【図１１】統合仕様ＤＢを示す図である。
【図１２】部品受発注システムの処理の流れを示すシーケンス図である。
【図１３】発注内容を閲覧する処理を示すシーケンス図である。
【図１４】個別仕様を生成する処理を示すフローチャートである。
【符号の説明】
１０…受注サーバ
１１…発注端末
１２…基本仕様入力端末
１３…製造会社端末
１４…ネットワーク
２０…演算処理装置
２１…インタフェース装置
２２…入力装置
２３…表示装置
２４…ドライブ装置
２５…記録媒体
２６…補助記憶装置
２７…メモリ装置
５０…仕様管理ＤＢ
５１…統合仕様ＤＢ
５２…個別仕様
６０…メーカＩＤ
７０…仕様書生成部
７１…ＤＢ操作部
７２…基本仕様選択・仕様追加部
７３…基本仕様入力部
７４…選択仕様提供部
７５、８０…認証部
７６、８１、８５…通信部
７７…仕様追加部
７８…基本仕様選択部
７９…選択仕様表示部
８２…個別仕様閲覧部
８３…基本仕様入力部
８４…仕様閲覧部
１００…ＬＳＩ設計会社
１０１…ＬＳＩ製造会社群
１０２…システムメーカ群
【図１】
2005004237.tif 000003
【図２】
2005004237.tif 000004
【図３】
2005004237.tif 000005
【図４】
2005004237.tif 000006
【図５】
2005004237.tif 000007
【図６】
2005004237.tif 000008
【図７】
2005004237.tif 000009
【図８】
2005004237.tif 000010
【図９】
2005004237.tif 000011
【図１０】
2005004237.tif 000012
【図１１】
2005004237.tif 000013
【図１２】
2005004237.tif 000014
【図１３】
2005004237.tif 000015
【図１４】
2005004237.tif 000016